(57)【要約】【課題】携帯電話機や電子機器装置などを操作する場合、携帯電話機や電子機器に制御用のインターフェースが備えられていないと外部制御ができない。【解決手段】押下部を備え、前記押下部を制御し携帯電話機や電子機器装置などの操作ボタンや、リモコン装置、操作パネルなど操作をおこなうことで解決する。【選択図】        図２
2006345470.tif 000002
【特許請求の範囲】
【請求項１】
少なくとも１つの押下部を有する電子機器などのボタン操作を遠隔で制御する装置であって、電子機器操作面に対面するように備えられた前記押下部を制御し、希望する電子機器などの操作を行うことを特徴とする電子機器制御装置。
【請求項２】
少なくとも１つの押下部を有する電子機器などのボタン操作を遠隔で制御する装置であって、前記押下部を２次元に移動させる移動手段を有し、前期押下部を２次元方向に移動した後、押下部を制御し希望するボタン操作を行うことを特徴とする電子機器制御装置。
【請求項３】
押下部を３次元に移動させる移動手段を備えることを特徴とする請求項２の電子機器制御装置。
【請求項４】
電子機器などのボタン操作部を制御する方法であって、押下部を２次元に移動する第一ステップと、前記押下部を移動した後、押下部を制御する第二ステップとを備え、希望する操作を可能にすることを特徴とする電子機器制御方法。
【発明の詳細な説明】
【技術分野】
【０００１】  本発明は、携帯電話機や電子装置などの操作ボタンを携帯電話機や電子装置の機種に左右されることなく外部操作を可能にする装置およびその方法に関する。
【背景技術】
【０００２】  従来の携帯電話などは携帯電話本体に装備されているインターフェース部がありそのインターフェース部に対してシリアル信号を入力したりして携帯電話機にダイヤル動作をさせたり着信動作をさせたりするのが一般的である。このことにより携帯電話機の発信や着信を外部でコントロールすることができるようになり自動での着信制御や遠隔によるさまざまな制御を行うことができる。たとえば携帯電話機のカメラ部を外部より制御し画像を取り込み送信し確認することや自動的にダイヤル発信を行い通報する装置などに利用されている。
【発明の開示】
【発明が解決しようとする課題】
【０００３】  しかし携帯電話機の機種やメーカーによってはインターフェース部が無いものやインターフェースの制御方式が異なっているものもあり全ての携帯電話機を制御することができない。また物理的に携帯電話機のボタンを押す装置も開発されたが携帯電話機の形状が異なったりボタンの配列が異なったりすると利用ができなく非常に不便であった。また今日携帯電話機の種類が多くせっかく希望する携帯電話機のボタン配列や位置などにあわせこんだとしても別の携帯電話機には使えないという不便があった。【０００４】  またビデオデッキ、テレビ受信機などはリモコンにより本体を操作できるが操作内容によっては非常に難しく、複数のリモコンボタンを押す必要がありしばしばリモコンでの操作方法を忘れてしまうことが発生した。
【課題を解決するための手段】
【０００５】  前述の目的を達成するため本発明は、少なくとも１つの押下部を有する電子機器などのボタン操作を遠隔で制御する装置であって、電子機器操作面に対面するように備えられた前記押下部を制御し、希望する電子機器などの操作を行うことを特徴とする電子機器制御装置を請求項１の発明とし、少なくとも１つの押下部を有する電子機器などのボタン操作を遠隔で制御する装置であって、前記押下部を２次元に移動させる移動手段を有し、前期押下部を２次元方向に移動した後、押下部を制御し希望するボタン操作を行うことを特徴とする電子機器制御装置を請求項２の発明とし、押下部を３次元に移動させる移動手段を備えることを特徴とする請求項２の電子機器制御装置を請求項３の発明とし、電子機器などのボタン操作部を制御する方法であって、押下部を２次元に移動する第一ステップと、前記押下部を移動した後、押下部を制御する第二ステップとを備え、希望する操作を可能にすることを特徴とする電子機器制御方法を請求項４の発明とし上記課題を解決するものである。
【実施例】
【０００６】  図１ないし図４は、第１実施例の形態における説明図である。【０００７】  以下図に従って説明する。図１は一般的な携帯電話機二つ折りタイプでディスプレイ部９ａと操作部９ｂに分かれ操作部９ｂの左上にオフフックボタン２、右上にオンフックボタン３、その下にダイヤルボタン４のダイヤル０〜９が配置されている。この配置はごく一般的なものである。携帯電話機による発信方法は相手先ダイヤル番号のボタンを押し後にオフフックボタン２を押すか、またはオフフックボタン２を押した後、相手先のダイヤルボタン４を押すことでと相手先への発信動作を行うことができる。もちろん通話終了時にオンフックボタン３を押せば通話を終了することができる。【０００８】  図２は本発明第１実施例の側面図である。携帯電話機９を図２のように携帯電話固定部５と保持部７との間に携帯電話機９を差し込み固定する。携帯電話固定部５の携帯電話９の背面が接する場所にはクッション６が構成されているので保持部７へ抑えるように固定され安定する。携帯電話機９の固定方向はソレノイド８の位置が携帯電話機９のダイヤルボタン部４面と合い向かうように固定される。このソレノイドは電気信号が入力されるとプランジャーと呼ばれる突起物が突出動作を行うものである。このソレノイド８は携帯電話機９のオフフックボタン２の位置、オンフックボタン３の位置、ダイヤルボタン４の０から９の位置と合致するように構成されているのでソレノイド８は全部で１２個用意されている。したがってソレノイド８は信号が入るとプランジャーが前に出て、携帯電話機９の該当するボタンを押すことになる。【０００９】  すなわちソレノイド８は図３のように１２個備えられているので、各ボタン１個が各ソレノイドに相当することになる。全てのソレノイド８の配線は接続部１０にまとめられている。たとえば０のダイヤルボタンを押したい場合はダイヤルボタンの０に相当するソレノイド８に信号を与えれば該当するソレノイド８がプランジャーを突出するのでダイヤルボタン０を押したと同様になことになる。つまり希望するダイヤルボタンに相当するソレノイドに順番に信号を送ればこの携帯電話機９を自由にコントロールすることができる。なお説明の都合上ダイヤルボタン、ソレノイドの数を１２に限定したが、制御の内容によっては１つのダイヤルルボタンと１つのソレノイドでも良いし、複雑な制御をしたければダイヤルボタンに対するソレノイドの数を増加すればよい。【００１０】  図５は本発明の第１実施の構成例である。この実施例では携帯電話機９を一般電話機１２から発信通話制御する構成の例である。携帯電話機９がセットされたアダプタ１Ａには前述のソレノイドが備えられ接続部１０から制御線部１３を経由し制御部１１に接続されている。制御部１０と制御部１１の接続方式は特に限定は無くシリアル信号やパラレル信号、しいては接点などでもよい。制御部１１は一般電話機１２と回線１４を経由し接続され、一般電話機１２の受話器を上げたとき、一般電話機１２のダイヤルを押したときなどの事象を変換しアダプタ１Ａのソレノイド８を動作させる機能をもつ。さらに制御部１１に接続された携帯電話機９のマイクイヤホン端子１５の信号は携帯電話機９の��イク入力及びスピーカー出力の信号で、マイク入力は一般電話機１２の送話信号を制御部１１で変換され携帯電話機９入力される。また同様に携帯電話機９のイヤホンの出力は制御部１１で電話回線用のインターフェース規格に変換されて一般電話機１２の受話信号として出力される。【００１１】  使用者が電話をかけるとして一般電話機１２の受話器を上げると制御部１１は容易に判断でき、ダイヤルトーンを受話器に出力する。このダイヤルトーンは４００Ｈｚの単音でツーというダイヤルを促す音である。後に使用者が相手先ダイヤルを開始すると制御部１１はダイヤル信号を判定する。ダイヤル信号は一般的にプッシュ信号またはダイヤルパルス信号で電話規格にて定められているものである。制御部１１が認識した番号を判定しダイヤルの信号の順番に該当するソレノイドを動作させる。つまり０９０１２３４１２３４という番号であれば、制御部１１は携帯電話機９の０にボタンに該当するソレノイド、次に９のボタンに該当するソレノイド、次に０のボタンに該当するソレノイド、のようにソレノイド駆動を行い最後に携帯電話機９のオフフックボタン２に該当するソレノイドを起動する。すると携帯電話機９は手で操作を行ったと同じように０９０１２３４１２３４のダイヤルができ希望する相手先に発信することができる。音声信号は前述のとおり携帯電話機９のイヤホンマイク端子１５により制御部１１を通し一般電話機１２の受話器、送話機につながり相手先との通話が可能になる。【００１２】  次に第２実施例の説明を行う。図５ないし図７が該当するが、図５は携帯電話機９に本発明のアダプタ１Ｂが取り付けられた外観図である。携帯電話機９は点線で示してある。ソレノイド１６は１つ備えられており、ソレノイド１６はＹ軸バー１７を上下に移動でき、かつＹ軸バー１７は上下にあるＸ軸バー１８を水平方向に移動できる構成になっている。したがって携帯電話機９の操作ボタン部９ｂのどの位置へでも移動できる構造になっている。ソレノイド１６は図６のようにＹ軸ギヤ２０、Ｙ軸モーター１９、Ｙ軸ベルト２１から構成されておりソレノイド制御線２３はソレノイドのプレンジャーの突出と移動するためのＹ軸モーター１９を駆動するための制御線である。このソレノイド制御線２３は接続部１０にまとめられる。このＹ軸ベルト２２の上下にてＹ軸バー１８が構成される。つまり携帯電話機９の操作ボタンの縦方向位置を決めるためのものである。このモーターは携帯電話機９の操作ボタンの縦位置を決めるためのもので精度が高いステッピングモーターなどが適しているが、ボタン操作部のボタンの大きさ、幅などが広いものであれば精度はあまり必要ではなくなるので特にステッピングモーターに限定しななくとも良い。【００１３】  前述では操作ボタンの縦方向に位置を決める構成を説明したが次に水平方向つまり操作ボタンのＸ軸方向を決めるためにＸ軸バー１８がＸ軸ギヤ２０を介して上下２つのＸ軸ベルト２４に接している。Ｘ軸ギヤ２５はＸ軸モーター２６が駆動されるとＸ軸ギヤ２５が回転しＸ軸ベルト２４を移動する。Ｙ軸バー１７はＸ軸バー１８自体を水平方向に移動する。このＸ軸モーター２６を制御するための制御線は同様に接続部１０にまとめられている��【００１４】  結果の２つの動作からソレノイド１６は携帯電話機９の操作ボタン部の表面を２次元方向に自在に移動することができる。図７は携帯電話機９を本アダプタ１Ｂにセットした側面図である。携帯電話機９は背面をクッション６で保持するように保持部７で押さえ込むように固定する。携帯電話機９の操作ボタン部は可動ソレノイドユニット２７のソレノイド面に固定される。【００１５】  動作は携帯電話機９のダイヤル番号０を押したいときは、Ｙ軸モーター１９を駆動させＹ軸ギヤ２０を回転させる。Ｙ軸バー１７をソレノイド１６が移動しダイヤルボタン０のＹ軸位置すなわち縦方向すなわち垂直方向の位置まで移動を行う。次にＸ軸モーター２６を駆動しＹ軸バー２２をダイヤルボタン０のＸ軸位置すなわち水平方向の位置まで移動をし、ダイヤルボタン０の位置で停止させる。後にソレノイド１６を起動してプランジャー１６ａを突出させダイヤルボタン０の押下を行う。明らかなようにこの動作を繰り返し電話番号の頭から順に行えば携帯電話機９のダイヤル動作を制御できることになる。説明ではＹ軸方向の移動の後に行っている説明であるが、Ｘ軸方向の移動を先に行っても良いし、Ｘ軸、Ｙ軸同時に移動しても同様の結果が得られる。【００１６】  加えて携帯電話機９の形状やボタンの位置などが異なった場合はＸ軸方向の移動距離、Ｙ軸方向の移動距離のみを変更、またはあらかじめ携帯電話機９の機種ごとやメーカーごとのボタン位置をあらかじめデータとして持てば携帯電話機９が変わっても簡単に対応することができる。さらに実施例の説明ではギヤが回転しＸ軸、Ｙ軸方向の移動をさせているが反対にギヤを固定しＸ軸ベルトやＹ軸ベルトの方を移動させれば全く同様の効果になる。【００１７】  また押下部をソレノイドと説明したがソレノイドに限定することなく起動すれば突起動作を行うものであれば同じ効果が得られるのは明らかである。
【発明の効果】
【００１８】  本発明は携帯電話機に限定することなくたとえばテレビリモコン、ビデオのリモコンなどに利用すれば遠隔制御でコントロールが可能になる。エアコンのリモコンに利用すれば遠隔でのエアコンの操作をすることができる。遠隔制御ばかりでなくリモコンを操作する場合に複雑な操作が必要な場合などはあらかじめ動作シーケンスを決めておけば、簡単な制御部などを準備し、ワンボタンで複雑な操作が可能になる。この場合はお年寄りや子供、身障者などにも簡単に操作することができるようになり、社会に寄与すること間違いなしである。さらに危険な操作を必要とした場合でも本発明を実施すれば操作部から離れた場所でのコントロールが可能になり安全性の向上が図れるのは言うまでも無い。
【図面の簡単な説明】
【００１９】
【００２０】
【図１】本発明に係わる携帯電話機の説明図である。
【図２】本発明に係わる第一実施例の側面図である。
【図３】本発明に係わる第一実施例のアダプタ外観図である。
【図４】本発明に係わる第一実施例の構成である。
【図５】本発明に係わる第二実施例のアダプタの外観図である。
【図６】本発明に係わる第二実施例のソレノイドユニットの外観図である。
【図７】本発明に係わる第二実施例の側面図である。
【符号の説明】
【００２１】１Ａ  …  アダプタ
１Ｂ  …  アダプタ
２    …  オフフックボタン
３    …  オンフックボタン
４    …  ダイヤルボタン
５    …  携帯固定部
６    …  クッション部
７    …  保持部
８    …  ソレノイド
９    …  携帯電話機
１０    …接続部
１１    …制御部
１２    …一般電話機
１３    …制御線部
１４    …回線
１５    …マイクイヤホン端子
１６    …ソレノイド
１６ａ  …プランジャー
１７    …Ｙ軸バー
１８    …Ｘ軸バー
１９    …Ｙ軸モーター
２０    …Ｙ軸ギヤ
２１    …Ｙ軸ベルト
２２    …Ｘ軸バー
２３    …ソレノイド制御線
２４    …Ｘ軸ベルト
２５    …Ｘ軸ギヤ
２６    …Ｘ軸モーター
２７    …可動ソレノイドユニット
【図１】
2006345470.tif 000003
【図２】
2006345470.tif 000004
【図３】
2006345470.tif 000005
【図４】
2006345470.tif 000006
【図５】
2006345470.tif 000007
【図６】
2006345470.tif 000008
【図７】
2006345470.tif 000009